(57)【特許請求の範囲】
【請求項１】
アンカーボルトを介して結合される布基礎と該布基礎上に構築される建造物本体との間に介在させるとともに、前記布基礎の長手方向に沿って複数隣接して配置される台輪において、
前記布基礎天端面に該布基礎の長手方向に沿って配置される台輪本体と、
前記台輪本体をその幅方向に貫通するようにして形成された換気孔と、
前記台輪本体に上下方向に貫通し且つ、該台輪本体の長手方向に細長い形状に形成されたアンカーボルト挿通用のアンカー用長孔とを備え、
台輪本体の下面縁部と、前記台輪本体の側面縁部との間に下面または側面に対して傾斜するテーパ部が前記台輪本体の延在方向に沿って設けられていること
を特徴とする台輪。
【請求項２】
請求項１記載の台輪において、
テーパ部は、下面の両縁部に設けられていること
を特徴とする台輪。
【請求項３】
請求項１または２記載の台輪において、
前記台輪本体が、台輪の上下面を構成する板状の上部面部材及び下面部材と、これら上上面部材の間に設けられて、前記換気孔を仕切る仕切り壁部とを備え、
前記布基礎に前記台輪本体を固定するための釘を挿通させるための釘孔が、前記台輪本体の上下面部材と仕切り壁部を上下に貫通するように形成されていることを特徴とする台輪。
【請求項４】
天端面に台輪本体を設置する際の位置合わせマークが設けられた布基礎上に設置される請求項１〜３のいずれかに記載の台輪において、
前記台輪本体には、前記位置合わせマークに合致させて前記台輪本体を布基礎上に位置決めする位置決めマークが設けられていること
を特徴とする台輪。
【請求項５】
請求項１〜４のいずれか記載の台輪において、台輪本体の上面には、該台輪本体上に設置される土台又は半土台の端部を合わせて位置決めする端部位置合わせマークが設けられていることを特徴とする台輪。
【請求項６】
請求項１〜５のいずれか記載の台輪において、
前記台輪本体の長手方向の両端部には、長手方向に連続して配置される前記台輪本体の端部どうしを互いに長さ方向に嵌合して接続する接続部が設けられていることを特徴とする台輪。
【請求項７】
天端面に台輪本体を設置する際の位置合わせマークが設けられた布基礎と該布基礎上に構築された建造物本体とがアンカーボルトを介して結合され、これら布基礎と建造物本体との間に、請求項４記載の台輪が前記布基礎上に敷き込まれた状態で介在させた台輪の設置構造において、
前記アンカー用長孔に前記アンカーボルトが挿通され、
前記位置決めマークが前記位置合わせマークに合致していることを特徴とする台輪の設置構造。
【請求項８】
布基礎と該布基礎上に構築された建造物本体とがアンカーボルトを介して結合され、これら布基礎と建造物本体との間に、請求項６記載の台輪が前記布基礎上に敷き込まれた状態で介在されるとともに、前記布基礎の長手方向に沿って複数隣接して配置された台輪の設置構造において、
前記アンカー用長孔に前記アンカーボルトが挿通され、
前記建造物本体は前記台輪上に、端部を前記端部位置合わせマークに合わせた状態で設置されていることを特徴とする台輪の設置構造。
【請求項９】
請求項４記載の台輪を、上部の建造物本体と接合するアンカーボルトを備えた布基礎上に敷き込んで設置する台輪の設置方法において、
台輪本体は、アンカー用長孔にアンカーボルトを挿通させ、且つ、前記位置決めマークを前記布基礎天端面の位置合わせマークに合致させて前記布基礎天端面上に敷き込むことを特徴とする台輪の設置方法。
【請求項１０】
布基礎上に敷き込まれるとともに、前記布基礎の長手方向に沿って複数隣接して配置された請求項５記載の台輪上に建造物本体を設置する建造物本体の設置方法であって、
前記布基礎上に敷き込まれた台輪の前記端部位置合わせマークに端部を合わせて、建造物本体を設置することを特徴とする建造物本体の設置方法。
【発明の詳細な説明】
【０００１】
【発明の属する技術分野】
本発明は、基礎上端に敷き込まれて、基礎と基礎上に構築される建造物本体との間に介在させる台輪に関し、詳細には換気孔を有する台輪、台輪の設置構造、台輪の設置方法及び建造物本体の設置方法に関する。
【０００２】
【背景の技術】
一般に建造物を構築する場合、地盤上に基礎を構築し、その基礎上に上部構造である建造物本体を構築する。上部構造からの荷重は下部構造である基礎によって地盤に伝えられる。
【０００３】
框材を枠組みするとともに、その間に補強桟材を組み付けて成る枠体の、両面または片面に面材を取り付けて形成した床パネル、壁パネルおよび屋根パネルなどの建築用パネルを組み立てることにより建造物本体を構築する木質パネル工法を例にとって説明すると、まず地盤上に布基礎、独立基礎などの基礎を構築し、次に基礎上に複数の床パネルを敷設し、床パネル端部外方側に半土台を取り付けて床部を構成する。そして、床部上に複数の壁パネルを立設して、基礎から突出し床パネルおよび半土台を挿通するアンカーボルトにて壁パネルを固定して壁部を構築し、さらにこの壁上に複数の屋根パネルを敷設して屋根部を構築するようにしている。
【０００４】
ここで、基礎上端に木質の床パネルを直接敷き込む際、基礎上端の平坦面の確保、基礎上端の透水防止や換気効率化を図る目的として、図１１に示すように、防錆処理され、且つ換気孔１０１が、幅方向に貫通するようにして形成されているた鋼材からなる台輪１００を基礎上端に敷き込み、この台輪１００を介在させて、基礎上端に床パネルを敷設していく提案（実願昭５６−０５９７８３「換気孔付台輪」）がなされている。この台輪の構造によれば、通常は基礎に設けられる床下換気孔を省略することができる。
そして、パネル工法において用いられる台輪にアンカーボルトが貫通できるアンカーボルト穴を現場にてアンカーボルトの立設間隔に合わせて瓦斯切断機などにより作っていた。
【０００５】
【発明が解決しようとする課題】
しかし、上記構成の台輪では、現場にてアンカーボルトが貫通できる穴をアンカーボルトの立設間隔に合わせて作っているため、設計変更や若干の施工誤差などにより実際に基礎に設けられたアンカーボルトの位置が、予定していたアンカーボルトの位置と異なった際には、台輪に実際のアンカーボルトの位置に対応させた穴を新たに作ったり、また、実際のアンカーボルト位置に正確に対応した穴が形成されている台輪新たに用意しなければならず若干の手間がかかっていた。
【０００６】
本発明の課題は、現場でアンカーボルト用の孔を設ける必要がなく基礎上に容易に設置できるとともに基礎工事において換気口を設ける必要がない台輪を提供することである。
【０００７】
【課題を解決するための手段】
以上の課題を解決するため、請求項１記載の発明は、例えば、図１及び図５に示すように、
アンカーボルト２５を介して結合される布基礎２と該布基礎上に構築される建造物本体９との間に介在させるとともに、前記布基礎の長手方向に沿って複数隣接して配置される台輪１において、
前記布基礎天端面２１に該布基礎２の長手方向に沿って配置される台輪本体１１と、
前記台輪本体１１をその幅方向に貫通するようにして形成された換気孔３と、
前記台輪本体１１に上下方向に貫通し且つ、該台輪本体１１の長手方向に細長い形状に形成されたアンカーボルト挿通用のアンカー用長孔４とを備え、
台輪本体１１の下面縁部と、前記台輪本体１１の側面縁部との間に下面または側面に対して傾斜するテーパ部１６が前記台輪本体１１の延在方向に沿って設けられていることを特徴とする。
【０００８】
請求項１記載の発明によれば、前記基礎天端面２１に該基礎２の長手方向に沿って配置される台輪本体１１をその幅方向に貫通するようにして形成された換気孔３と、前記台輪本体１１に上下方向に貫通し且つ、該台輪本体１１の長手方向に細長い形状に形成されたアンカーボルト挿通用のアンカー用長孔４とを備えるので、前記台輪本体１１が設置される基礎２の構築工事の際に、一般的に基礎部分に設けられる換気孔を設ける必要がなく、その分の基礎工事の手間を簡略化することができるとともに、台輪本体１１を基礎天端面２１に設置する際、アンカーボルト２５を前記アンカー用長孔４に挿通させることができ、前記基礎２と基礎２上部の建造物本体９との間に介在させた状態で両者を結合させることができる。
また、アンカー用長孔４にアンカーボルト２５を挿通させ、台輪本体１１を基礎天端面２１に設置する際に、アンカー用長孔４は台輪本体１１の長手方向に細長い形状に形成されていることから、アンカー用長孔４にアンカーボルト２５を挿通させ易く、またアンカーボルト２５を挿入させた状態で台輪本体１１の長手方向の敷き込み位置を調整することができる。
【００１０】
前記台輪本体１１が敷き込まれる基礎、特に布基礎は、一般的に所望の型枠内にコンクリートを打設することにより構築される。このとき天端面は水平面となるように仕上げられるが、基礎の天端面となる部分において、型枠に接する天端面の周縁部は表面張力により周縁に向かって上方に突出して構築される（例えば図５の凸部２２）場合がある。そして、台輪は基礎の天端面の側縁に沿って取り付けられるのが一般的であり、その凸部が台輪に干渉して台輪を水平に設置できない場合があり、その際、凸部を削る作業が必要となり手間が掛かる。
【００１１】
請求項１記載の発明によれば、台輪本体１１の下面縁部と、前記台輪本体の側面縁部との間に下面または側面１１ａ・１１ｂに対して傾斜するテーパ部１６が台輪本体１１の延在方向に沿って設けられているので、前記台輪本体１１を設置する布基礎２の布基礎天端面２１に上方に突出する凸部（例えば図における凸部２２）が形成されていても、前記凸部上方にテーパ部１６が位置するように台輪１を配置して、前記凸部２２になんら干渉することなく前記台輪本体１１を略水平な状態で布基礎２の天端面２１に設置することができる。
【００１２】
請求項２記載の発明は、請求項１記載の台輪において、例えば、図１に示すように、
テーパ部１６は、下面部（例えば下面部材１３）の両縁部に設けられていることを特徴とする。
【００１３】
請求項２記載の発明によれば、請求項１記載の発明と同様の効果を得ることができるとともに、前記テーパ部１６は台輪本体１１の下面部１３の両縁部に設けられているので、敷き込まれた基礎２において、両縁部に凸部２２が形成されていても、台輪１を設置する際に、凸部２２上に前記テーパ部１６が位置するようにすることで前記台輪本体１１に前記凸部２２をなんら干渉させることなく、台輪本体１１を基礎２上に略水平に好適な状態で設置することができる。特に、台輪本体１１が設置される基礎２の幅が台輪本体の幅と略同様の幅である場合、該基礎天端面の両側縁部にそれぞれ基礎構築の際に表面張力により凸部が形成されていてもテーパ部に凸部を何ら干渉させることなく台輪本体を基礎天端面に好適な状態で敷き込むことができる。
また、台輪本体の両縁部のうちいずれか一方の縁部を基礎の縁部に合わせて基礎天端の凸部を台輪本体に何ら干渉させることなく台輪本体を基礎に設置することができる。
請求項３記載の発明は、請求項１または２記載の台輪において、例えば、図１に示すように、前記台輪本体１１が、台輪の上下面を構成する板状の上部面部材１２及び下面部材１３と、これら上下面部材１２，１３の間に設けられて、前記換気孔３を仕切る仕切り壁部１４とを備え、
前記基礎２に前記台輪本体１１を固定するための釘を挿通させるための釘孔１５が、前記台輪本体１１の上下面部材１２，１３と仕切り壁部１４を上下に貫通するように形成されていることを特徴とする。
【００１４】
請求項４記載の発明は、図１及び図６に示すように、天端面２１に台輪本体１１を設置する際の位置合わせマーク（例えば、墨だしマーク）２３が設けられた布基礎２上に設置される請求項１〜３のいずれかに記載の台輪１において、前記台輪本体１１には、前記位置合わせマーク２３に合致させて前記台輪本体１１を布基礎２上に位置決めする位置決めマーク５が設けられていることを特徴とする。
【００１５】
請求項４記載の発明によれば、請求項１〜３のいずれかと同様の効果を得ることができるとともに、台輪本体１１には前記布基礎天端面２１に設けられた位置合わせマーク２３に合致させて前記台輪本体１１を基礎上に位置決めする位置決めマーク５が設けられているので、前記台輪本体１１を布基礎２上に設置する際に、アンカー用長孔４にアンカーボルト２５を挿通させるとともに、前記位置決めマーク５を前記位置合わせマーク２３に合致させて設置して、布基礎２上に台輪本体１１を所望の位置に正確に配置することができる。
【００１６】
請求項５記載の発明は、請求項１〜４のいずれか記載の台輪において、例えば、図１に示すように、
台輪本体１１の上面には、該台輪本体１１上に設置される土台又は半土台９２の端部を合わせて位置決めする端部位置合わせマーク６が設けられていることを特徴とする。
【００１７】
請求項５記載の発明によれば、請求項１〜４のいずれかと同様の効果を得ることができるとともに、前記台輪本体１１の上面に設けられた前記端部位置合わせマーク６により、前記台輪本体１１上に土台又は半土台９２を配置する際に、前記端部位置合わせマーク６に土台又は半土台９２の端部を合わせて設置して構築することができる。
したがって、土台又は半土台９２を基礎上で前記台輪１を介して好適な位置に容易に構築することができる。
請求項６記載の発明は、請求項１〜５のいずれか記載の台輪において、例えば、図１及び図７に示すように、
前記台輪本体１１の長手方向の両端部には、長手方向に連続して配置される前記台輪本体１１の端部どうしを互いに長さ方向に嵌合して接続する接続部８Ａ、８Ｂが設けられていることを特徴とする。
【００１８】
請求項７記載の発明は、例えば、図１及び図６に示すように、天端面２１に台輪本体１１を設置する際の位置合わせマーク（例えば墨だしマーク２３）が設けられた布基礎２と該布基礎２上に構築された建造物本体とがアンカーボルト２５を介して結合され、これら布基礎２と建造物本体との間に、請求項４記載の台輪１を前記布基礎１上に敷き込まれた状態で介在させた台輪の設置構造において、
前記アンカー用長孔４に前記アンカーボルト２５が挿通され、
前記位置決めマーク６が前記位置合わせマーク２３に合致していることを特徴とする。
【００１９】
請求項７記載の発明によれば、前記アンカー用長孔４に前記アンカーボルト２５が挿通され、前記位置決めマーク５が前記位置合わせマーク２３に合致している状態で台輪１が前記布基礎２と該布基礎２上に構築された建造物本体９との間に介在するので、台輪１は布基礎２上に正確な位置に配置されたものとなる。
なお、上記構造において前記位置決めマークを台輪の幅方向の両縁部のうち一方の縁部としてもよい。これに対して前記位置合わせマークは、布基礎天端面上の所定の箇所に設ける。例えば、所定の位置とは、天端面において延在する一方の縁部から他方の縁部側に台輪の幅分移動した位置で且つ、両縁部に平行な位置等が挙げられる。この構造では、台輪の一方の縁部を前記位置合わせマークに合致させた状態で台輪が布基礎上に配置される。その際、台輪の他方の縁部は布基礎の一方の縁部に合致した状態となる。
【００２０】
請求項８記載の発明は、図１及び図５に示すように、布基礎２と該布基礎２上に構築された建造物本体９とがアンカーボルト２５を介して結合され、これら布基礎２と建造物本体９との間に、請求項６記載の台輪１を前記布基礎２上に敷き込まれた状態で介在させた台輪の設置構造において、
前記アンカー用長孔４に前記アンカーボルト２５が挿通され、
前記建造物本体９は前記台輪１上に、端部（例えば、床部９０を構成する工業化半土台の外側の下縁部）を前記端部位置合わせマーク６に合わせた状態で設置されていることを特徴とする。
【００２１】
請求項８記載の発明によれば、布基礎２上に敷き込まれた台輪１の端部位置決めマーク６に建造物本体９の端部を合わせて建造物本体９が配置されることにより前記建造物本体９を好適な位置に容易に設置できる。
【００２２】
請求項９記載の発明は、図６及び図７に示すように、請求項４記載の台輪１を、上部の建造物本体９と接合するアンカーボルト２５を備えた布基礎２上に敷き込んで設置する台輪１の設置方法において、
台輪本体１１は、アンカー用長孔４にアンカーボルト２５を挿通させ、且つ、前記位置決めマーク６を前記布基礎天端面２１の位置合わせマーク（例えば、墨だしマーク２３）に合致させて前記布基礎天端面２１上に敷き込むことを特徴とする。
【００２３】
請求項９記載の発明によれば、布基礎２上に台輪１を敷き込む際に、台輪本体１１は、アンカー用長孔４にアンカーボルト２５を挿通させ、且つ、前記位置決めマーク５を前記布基礎天端面２１の位置合わせマーク２３に合致させて前記布基礎天端面２１上に敷き込むので、前記台輪１を布基礎２上に正確な位置で容易に敷き込むことができる。
【００２４】
請求項１０記載の発明は、例えば、図１及び図５に示すように、布基礎２上に敷き込まれるとともに、前記布基礎の長手方向に沿って複数隣接して配置された請求項５記載の台輪１上に建造物本体９を設置する建造物本体の設置方法であって、
前記布基礎２上に敷き込まれた台輪１の前記端部位置合わせマーク６に端部（例えば、半土台の下縁部）を合わせて、建造物本体９を設置することを特徴とする。
【００２５】
請求項１０記載の発明によれば、前記布基礎２上に敷き込まれた請求項５記載の台輪１上に建造物本体９を設置する際に、前記建造物本体９を、前記台輪１の前記端部位置合わせマーク６に端部を合わせて正確な所望の位置に容易に設置することができる。
【００２６】
【発明の実施の形態】
以下、図面を参照して本発明の実施の形態を詳細に説明する。
図１〜図４に示す本発明に係る台輪１は、台輪本体１１と、台輪本体１１に台輪本体１１の長手方向に沿って台輪本体１１の幅方向に貫通するように所定間隔を開けて設けられた換気孔３と、台輪本体１１に設けられたアンカーボルト挿通用のアンカー用長孔４と、位置決めマーク５、端部位置合わせマーク６、台輪本体１１の長手方向の両端部にそれぞれ形成された接続部８Ａ・８Ｂ、テーパ部１６等とを備える。
【００２７】
台輪本体１１は、台輪１の上下面を構成し、互いに離間して対向するように配置された板状の上面部材及び下面部材１２，１３と、これら上下面部材１２，１３の間で、且つ上下面部材１２，１３に直交するように設けられた複数の仕切り壁部１４と、前記台輪本体１１を基礎に固定する釘孔１５等とを備える。
【００２８】
上面部材１２及び下面部材１３の長手方向の両縁部には、図１〜図４に示すように、それぞれ側面１１ａ，１１ｂまたは上下面に対して傾斜するテーパ部１６が設けられている。
テーパ部１６はそれぞれ台輪１の延在方向に沿って形成され、台輪１の両側部をそれぞれ先細り形状とならしめている。
テーパ部１６と上下面との境部分は段差が形成されており、テーパ部１６は上下面のそれぞれより台輪本体１１の厚み方向内側に下がった部位から傾斜した状態となっている。よって、台輪本体１１を水平な箇所に設置した際に、台輪本体１１の両側部は、水平な箇所から離間した状態で配置される。つまり、設置される基礎において台輪側部の下方に位置する部位に凸部が形成されていても、台輪本体はテーパ部１６によってこれを逃げ、凸部が干渉しないように台輪本体１１を設置できる。特に設置される基礎が型枠を用いて形成される布基礎である場合、天端の縁部が端縁に向かって漸次上方に傾斜する凸部が形成される場合がある。そのような基礎にもテーパ部の傾斜が凸部の傾斜に対応するので、該凸部が干渉しないように台輪本体を設置することができる。
【００２９】
複数の仕切り壁部１４は互いに平行に離間して配置され複数の換気孔３を仕切り、両側面で上下面部材１２，１３の内側面ととも換気孔３を囲む周壁面を形成している。
【００３０】
換気孔３は、台輪１の両側面１１ａ，１１ｂに面した開口部３１と、開口部３１に連通し台輪本体１１内を貫通する換気通路部３２とを有する。
仕切り壁部１４において台輪本体１１の幅方向側の端部１４ａ、言い換えれば換気孔３の開口部４１を構成する部位１４ａには、仕切り壁部１４の側面から端部１４ａの先端１４ｃに向かって下るテーパ部１８が設けられている。これにより仕切り壁部１４の端部１４ａは先端１４ｃに向かって先細りとなるように構成されている。
【００３１】
また、仕切り壁部１４に設けられたテーパ部１８によって換気孔３の開口部３１の外径（側面１１ａ，１１ｂに面する開口縁の径）Ｆは換気通路部３２の径Ｇより広く（図２（ａ）参照）なっており、換気通路部３２との接続部分から台輪側面１１ａ，１１ｂに向かって左右方向に漸次拡がるように形成されている。
つまり、換気通路部３２の両端部にそれぞれ接続された開口部３１は、開口縁に向かって、言い換えれば、台輪１の両側面１１ａ，１１ｂ側に向かって拡がるように形成されている。
さらに、換気孔３の断面形状は四角形状、ここでは縦長の長方形となっている。このように換気孔３の断面形状が四角形状であるので、上記換気孔３が設けられている範囲内で断面円形状の換気孔を形成した構成より、角が形成されている分だけ通気量が多くなり、その分の換気効率の向上を図ることができる。
【００３２】
釘孔１５は、図１、図２（ａ）及び図４に示すように、釘を挿通させることで基礎に台輪を固定するものである。
釘孔１５は、台輪本体１１の幅方向の中心でかつ台輪１の延在方向に沿う線上で所定間隔を開けて１列に配置され、長手方向に並ぶ換気孔３の間で、台輪本体１１の上下面部材１２・１３と仕切り壁部１４を上下に貫通するように形成されている（図１及び図２（ａ）参照）。
【００３３】
この釘孔１５は、図４（ｂ）に示すように、上下面部材１２，１３に設けられた座掘部１５１と、換気孔３の間で仕切り壁部１４を貫通し座掘部１５１に連通する挿通部１５２とを備える。
座掘部１５１は、上下面部材１２，１３において釘の頭の厚みより深く且つ釘の頭より径が大きくなるように形成されている。
また、挿通部１５２は座掘部１５１と同一軸心で該座掘部１５１より径が小さ形成されており、釘本体が挿通される。
この釘孔１５に台輪１の上面側から釘を挿通させて台輪１を基礎に固定した際に、釘の頭は、座掘部１５１の底面で係止された状態で座掘部１５１内に収まり台輪本体１１の上面から突出しないようになっている。
また、座掘部１５１は、釘孔１５の両開口縁部、具体的には上下面部材１２，１３の外面側にそれぞれに形成されているので、台輪１を設置する際に、上下を逆にして設置した場合でも、上下を逆にしない場合と同様に、釘孔１５に釘を挿通させて台輪１を基礎に固定できる。
【００３４】
図１、図２及び図４で示されるアンカー用長孔４は、基礎と該基礎上に配置される建造物本体とを接合するアンカーボルトを挿通可能なものである。
アンカーボルト用長孔４は台輪本体１１の上下に貫通し、かつ台輪本体１１の長手方向に細長く平面視長穴状に形成され、台輪本体１１の延在方向に所定間隔を開けて複数形成されている。なお、この実施の形態の台輪１では４つ形成されている（図１参照）。
また、アンカー用長孔４は、長穴状の範囲内において、どの位置にでもアンカーボルトを挿通可能となっており、アンカーボルトが立設された基礎の上面に換気孔付き台輪１を設置する際に、該換気孔付き台輪１の長手方向の位置設定作業を自由に行える。
【００３５】
位置決めマーク５は、図１、図２（ａ）及び図４（ｂ）で示すように、台輪１の上面部材１２の表面にそれぞれに設けられ、台輪１の幅方向の中心で且つ、台輪の延在方向と平行な溝状に形成されている。この実施の形態では釘孔１５に隣接して形成して設けられ、台輪１の幅の中心位置が確認できるようになっている。なお、図示しないが下面部材１３にも同様に形成されている。
端部位置合わせマーク６は、図１及び図２（ａ）上面部材１２及び下面部材１３の表面に位置決めマーク５の両側に離間して該位置決めマーク６と平行に線状に設けられている。
この実施の形態における端部位置合わせマーク６はそれぞれ台輪の幅を３等分して、３等分した両側部分のそれぞれの略中心に位置している。
【００３６】
接続部８Ａは、互いに嵌合する形状の嵌合部８１と被嵌合部８２とを備える。
嵌合部８１は、台輪１の長手方向に向かって突出するように設けられ、台輪１の上下方向に延在する突条部８１ａを備える。
また、被嵌合部８２は、台輪１の上下方向に延在し、前記突条部８１ａと嵌合するように形成された溝部８２ａを備える。
接続部８Ｂは平面視した台輪の中心に対して接続部８Ａと点対称に形成されて互いに接続可能となっており、同形状の換気孔付き台輪１を長手方向に連続して接合可能となっている。
【００３７】
すなわち、換気孔付き台輪１では、一方の接続部８Ａの嵌合部８１と同一直線上に他方の接続部８Ｂの被嵌合部８２が配置され、一方の接続部８Ａの被嵌合部８２と同一直線上に他方の接続部８Ｂの嵌合部８１が配置されている。
つまり、接続部８Ａに設けられている嵌合部８１と被嵌合部８２は、同形状の換気孔付き台輪１どうしを接合する際に、隣接する換気孔付き台輪１の接続部８の被嵌合部と嵌合部にそれぞれ嵌合し、接続される換気孔付き台輪どうしを同一直線上に延在するように接合できる。詳細には、同形状の台輪１を長手方向に接続する際に、一方の接続部８の嵌合部８１が他方の接続部８の被嵌合部８２と、また、一方の被嵌合部８２が他方の嵌合部８１と嵌合する。そして、これら嵌合部８１と被嵌合部８２とが嵌合することにより、突条部８１ａと溝部８２ａとが嵌合し、基礎上において一方の台輪が他方の台輪に対して台輪の幅方向への移動が抑制される（図７参照）。
なお、図示しないが換気孔付き台輪１は構築される構造物基礎の全周に設けられ、台輪本体１１の長さ４ｍあたりの換気孔３の換気有効面積が３００ｃｍ2以上となっている。
【００３８】
この実施の形態における台輪１では、全長約９１６ｍｍ、台輪の両端部に延在方向と平行な直線上にそれぞれ配置された突条部８１ａの突出長さの半分の部位から溝部８２ａの深さの半分の部位までの長さが９１０ｍｍ、上下面部材１２，６２の厚み４ｍｍ、仕切り壁部１４の厚み４ｍｍ、換気孔３の開口部３１の左右幅（台輪の長手方向と平行な長さ）１１ｍｍ、換気孔３の換気通路部３２の左右幅７ｍｍとなっている。また、台輪１の上下の厚みは２４ｍｍや３０ｍｍとし、厚みが２４ｍｍの場合、換気孔３の開口部３１の上下の長さは１８ｍｍ、換気通路部３２の上下の長さは１６ｍｍとしている。換気通路部３２の左右幅が７ｍｍであるので、この換気孔３を介して外部から内部にハツカネズミが侵入することを防止できる（防鼠作用を有する）。これは一般的に子ハツカネズミの頭の大きさが８ｍｍ程度であるためである。
【００３９】
このような寸法で形成されていることにより台輪（厚み２４ｍｍ）１ピース、全長約９１６ｍｍで、表面の換気開口面積１２１ｃｍ2、換気通路部３２の断面積９１．６０ｃｍ2となっている。よって、台輪１どうしを接続し、台輪本体の長さ４ｍあたりの有効換気面積が３００ｃｍ2以上となり、台輪１を基礎上記敷き込んだ際に、台輪１上部に設けられる構造物の長手方向の長さ４ｍ以下において、有効換気口面積３００ｃｍ2以上の面積を得ることができる。
【００４０】
上記台輪１を設置した台輪の設置構造を図５を参照して説明する。
台輪１は、基礎２上に敷き込まれ、基礎２と基礎上に構築された建造物本体９との間に介在している。
台輪１は一方の側面が基礎２の一方の側面、ここでは外側面と略面一となるように基礎２上に敷き込まれている。
【００４１】
基礎２は天端面２１が水平面となるように型枠等にコンクリートを打設により成形されてなる。この実施の形態の基礎は布基礎であり、この基礎２の天端面２１の両側縁部には型枠を用いて成形した際の表面張力により形成された凸部２２を備える。また、基礎２の天端面２１には、上方に向かって突出するアンカーボルト２５が設けられている。なお、アンカーボルト２５は基礎２の長手方向に壁芯に沿って所定間隔をあけて一列に複数配置されている。
また、天端面２１には壁芯に沿って墨だしマーク２３が設けられている（図６参照）。この墨だしマーク２３は基礎２上に台輪１を設置する際の位置合わせマークである。なお、この位置合わせマーク２３は壁芯に沿って設けられている必要はなく、台輪を所望の設置する際の位置合わせ用となるものであれば、基礎の何処に設けられていてもよい。例えば構造に応じて位置合わせマークを基礎の天端面２１の側端縁としてもよい。
このアンカーボルト２５は台輪本体１１のアンカー用長孔４に挿通され、台輪１の上方に突出した先端部に建造物本体９が結合されている。
【００４２】
建造物本体９は、台輪１の上部に配置された建物の１階の床部９０を構成する床パネル９１の端部９１ａと、該床パネル９１の側端面に当接するように釘で止着された半土台９２と、床パネル９１の端部９１ａ及び半土台９２の上部に立設された１階の壁部を構成する壁パネル９３とから概略構成されている。
【００４３】
この床パネル９１の端部９１ａ及び半土台９２には、アンカーボルト２５が挿通され、このアンカーボルト２５は壁パネル９３の下端部９３ａに止着されている。これにより壁パネル９３及び基礎２どうしは、台輪１、半土台９２及び床パネル９１の端部９１ａを挟持した状態で結合されている。
壁パネル９３の外壁面には胴縁９４を介して外装材９５が外壁面に取り付けられている。また、外装材９５の下端部９５ａは壁パネル９３の下端部より下方に突出しており、下端部９５ａには裏面にガセット９６が壁パネル９３の下端部９２ａに釘で取り付けられた状態で配置されている。これら外装材９５及びガセット９６は壁パネルとともに予め工場で艤装されてなる。
【００４４】
上記構造においては、台輪１の端部位置合わせマーク６に半土台の外側面を合わせて床部９０を構築するため、基礎２の外側面、台輪１の外側の側面及び壁パネル９３の外壁面により内側に半土台９２の外側面が位置する。これにより、床部９０上に設置する壁パネル９３が、外壁面に予め外装材９５が取り付けられた艤装パネルである場合に、外装材９５の下端部９５ａと半土台９２との間にクリアランスが形成されるようになっている。このため床パネル９１の構築時に床パネル９１に伸びが生じた場合でも伸び分の誤差をクリアランスで吸収させて現場作業効率が高い艤装パネルを用いた工法を用いることができる。
また、上記構造では、台輪１はテーパ部１６を備えるので、基礎２の天端面２１の両縁部に凸部２２が形成されていても、これに干渉することなく基礎２上に設置することができる。
【００４５】
次に図６〜図８を用いて本実施の形態の台輪１を設置する設置方法について説明する。
まず、図６に示すように、基礎２の天端面２１上に台輪１を、アンカー用長孔４にアンカーボルト２５を挿通させるとともに、台輪本体１の位置決めマークを天端面２１の墨だしマーク（位置合わせマーク）２３に合致させて配置する。
基礎２の天端面２１上に配置された台輪１を釘孔１５にスクリュー釘を挿通させて基礎２に打ち込み固定し、固定された台輪１の接続部８Ｂに該固定された台輪１に隣接して配置される次の台輪１の接続部８Ａを接合させ（図７参照）て、次の台輪１を配置する。
このようにして基礎２上に該基礎２の長手方向に沿って台輪１を複数隣接して配置した後、台輪１上に建造物本体の床部９０を配置する（図８参照）。
このとき、床部端部を構成する部材のうち半土台９２の外側の下縁部を台輪本体１１に設けられた端部位置合わせマーク６に合致させて配置してアンカーボルト２５に固定することにより建造物本体９を基礎２に結合する。
【００４６】
上記構成の台輪１によれば、基礎天端面２１に該基礎２の長手方向に沿って配置される台輪本体１１をその幅方向に貫通するようにして形成された換気孔３を備えるので、台輪本体１１が設置される基礎２の構築工事の際に、一般的に基礎部分に設けられる換気孔を設ける必要がなく、その分の基礎工事の手間を簡略化することができる。
加えて、台輪本体１１に上下方向に貫通し且つ、該台輪本体１１の長手方向に細長い形状に形成されたアンカーボルト挿通用のアンカー用長孔４を備えるので、台輪１を基礎天端面２１に設置する際、アンカー用長孔４に基礎２のアンカーボルト２５を挿通させて基礎２と基礎２上部の床部９０を含む建造物本体９とを結合させることができる。
【００４７】
また、アンカー用長孔４にアンカーボルト２５を挿通させ、台輪本体１１を基礎天端面２１に設置する際に、アンカー用長孔４は台輪本体１１の長手方向に細長い形状に形成されていることから、アンカー用長孔４にアンカーボルト２５を挿通させ易く、またアンカーボルト２５を挿入させた状態で台輪本体１１の長手方向の敷き込み位置を調整することができる。
さらに、台輪本体１１の下面縁部と、台輪本体の側面縁部との間に下面または側面１１ａ・１１ｂに対して傾斜するテーパ部１６が設けられているので、基礎天端面２１の凸部２２上方にテーパ部１６が位置するように台輪１を配置して、凸部２２が台輪本体１１になんら干渉させることなく台輪１を略水平な状基礎２の天端面２１に設置できる。また、テーパ部１６は台輪本体１１の下面部１３の両縁部に設けられているので、台輪本体１１の両縁部のうちいずれか一方の縁部を基礎の縁部に合わせて配置することで、基礎天端面２１の凸部２２の上方にテーパ部１６を位置させ、凸部２２を何ら干渉させることなく台輪本体１１を基礎に設置できる。
【００４８】
また、台輪本体１１には位置決めする位置決めマーク５が設けられているので、台輪本体１１を基礎２上に設置する際に、アンカー用長孔４にアンカーボルト２５を挿通させるとともに、位置決めマーク５を基礎の墨だしマーク２３に合致させて設置して、基礎２上に台輪本体１１を所望の位置に正確に配置することができる。
さらに、台輪本体１１上に建造物本体９を配置する際に、台輪本体１１の上面に設けられた端部位置合わせマーク６に建造物本体９の端部を合わせて設置して構築し、建造物本体９を基礎上で台輪１を介して好適な位置に容易に構築することができる。
【００４９】
なお、本実施の形態においてアンカーボルト用長穴は台輪本体に４つ形成された構成としたがこれに限らず、１つであったり、２つ以上形成されていてもよい。例えば図９に示すように台輪本体にアンカー用長孔４が３つ形成された台輪１Ｂ、図１０に示すように台輪本体にアンカー用長孔４が２つ形成された台輪１Ｃの構成としてもよい。これら台輪の他の構成は上述した台輪１の構成と同様の構成であるので説明は省略する。
【００５０】
なお、以上の実施の形態においては、釘孔の位置は台輪の幅の中心線に沿って配置された構成としたが、本発明はこれに限定されるものではなく、台輪を固定できればどの部位に設けられていても良い。また、アンカー用長孔や換気孔の形状は任意である。
また、位置決めマーク５、端部位置合わせマーク６等もそれぞれ台輪の設置位置、台輪上に配置される建造物本体の端部の位置を位置決めできれば、任意な部位に設けられてもよい。
なお、上記台輪１，１Ｂ，１Ｃの上下面を、基礎上に設置したり、また上面に構造物を載せた際に摩擦抵抗が増大するように処理した摩擦面としてもよい。
このように台輪１，１Ｂ，１Ｃの上下面が摩擦面であれば、基礎と構造物本体（構造物本体を構成する部材など）との間に配設した際に、台輪上の構造物が台輪からずれることがなくなり、地震などに対する耐久性の向上を図ることができる。その他、具体的な構成等についても適宜に変更可能であることは勿論である。
【００５１】
【発明の効果】
請求項１記載の発明によれば、前記台輪本体が設置される基礎の構築工事の際に、一般的に基礎部分に設けられる換気孔を設ける必要がなく、その分の基礎工事の手間を簡略化することができるとともに、台輪本体を基礎天端面に設置する際、アンカーボルトを前記アンカー用長孔に挿通させることができ、前記基礎と基礎上部の建造物本体との間に介在させた状態で両者を結合させることができる。また、アンカー用長孔にアンカーボルトを挿通させ、台輪本体を基礎天端面に設置する際に、アンカー用長孔は台輪本体の長手方向に細長い形状に形成されていることから、アンカー用長孔にアンカーボルトを挿通させ易く、またアンカーボルトを挿入させた状態で台輪本体の長手方向の敷き込み位置を調整することができる。
【００５２】
さらに、前記台輪本体を設置する基礎の基礎天端面に、該天端面において台輪本体の側縁部下方に位置する部分に上方に突出する凸部が形成されていても凸部になんら干渉させることなく、前記台輪本体を略水平な状態で前記基礎の天端面に設置することができる。
【００５３】
請求項２記載の発明によれば、敷き込まれた基礎において、両縁部に凸部が形成されていても、凸部上に前記テーパ部が位置するようにすることで前記台輪本体に前記凸部をなんら干渉させることなく、台輪本体を基礎上に略水平に好適な状態で設置することができる。特に、台輪本体が設置される基礎の幅が台輪本体の幅と略同様の幅である場合、該基礎天端面の両側縁部にそれぞれ基礎構築の際に表面張力により凸部が形成されていてもテーパ部に凸部を何ら干渉させることなく台輪本体を基礎天端面に好適な状態で敷き込むことができる。
また、台輪本体の両縁部のうちいずれか一方の縁部を基礎の縁部に合わせて基礎天端の凸部を台輪本体に何ら干渉させることなく台輪本体を基礎に設置することができる。
【００５４】
請求項４記載の発明によれば、前記台輪本体を基礎上に設置する際に、前記アンカー用長孔にアンカーボルトを挿通させるとともに、前記位置決めマークを前記位置合わせマークに合致させて設置して、基礎上に台輪本体を所望の位置に正確に配置することができる。
【００５５】
請求項５記載の発明によれば、前記台輪本体の上面に設けられた前記端部位置合わせマークにより、前記台輪本体上に土台又は半土台を配置する際に、前記端部位置合わせマークに土台又は半土台の端部を合わせて設置して構築することができ、土台又は半土台を基礎上で前記台輪を介して好適な位置に容易に構築することができる。
【００５６】
請求項７記載の発明によれば、前記アンカー用長孔に前記アンカーボルトが挿通され、前記位置決めマークが前記位置合わせマークに合致している状態で台輪が前記基礎と該基礎上に構築された建造物本体との間に介在するので、台輪は基礎上に正確な位置に配置されたものとなる。
【００５７】
請求項８記載の発明によれば、基礎上に敷き込まれた台輪の端部位置決めマークに建造物本体の端部を合わせて建造物本体を好適な位置に容易に設置できる。
【００５８】
請求項９記載の発明によれば、前記台輪を基礎上に正確な位置で容易に敷き込むことができる。
請求項１０記載の発明によれば、前記基礎上に敷き込まれた請求項５記載の台輪上に建造物本体を設置する際に、前記建造物本体を、前記台輪の前記端部位置合わせマークに端部を合わせて正確な所望の位置に容易に設置することができる。
【図面の簡単な説明】
【図１】本発明を適用した一実施の形態の台輪の構成を示す図であり、（ａ）は本一例を示す台輪の平面図であり、（ｂ）は同台輪の側面図、（ｃ）は同台輪の正面図である。
【図２】本発明を適用した一実施の形態の台輪の構成を示す図であり、（ａ）は同台輪の両端の接続部を示す図であり図１（ｃ）のＡ−Ａ線断面図、（ｂ）は同台輪の両端の接続部の拡大側面図である。
【図３】本発明を適用した一実施の形態の台輪の構成を示す図であり、図１のＢ−Ｂ線断面図である。
【図４】本発明を適用した一実施の形態の台輪の構成を示す図であり、（ａ）は釘孔部分の拡大平面図、（ｂ）は釘孔の縦断面図である。
【図５】本発明を適用した位置実施の形態の台輪の設置構造を示す縦断面図である。
【図６】本発明を適用した台輪が設置される基礎の斜視図である。
【図７】隣接する台輪どうしの接合状態を示す平面図である。
【図８】建造物本体を構成する床部が基礎に配置された台輪上に構築された状態を示す図である。
【図９】本発明に係る台輪の他の実施形態としてアンカー用長孔を３つ有する台輪を示し、（ａ）は台輪の平面図、（ｂ）は同台輪の側面図、（ｃ）は同台輪の正面図である。
【図１０】本発明に係る台輪の他の実施形態としてアンカー用長孔を２つ有する台輪を示し、（ａ）は台輪の平面図、（ｂ）は同台輪の側面図、（ｃ）は同台輪の正面図である。
【図１１】従来の台輪の斜視図である。
【符号の説明】
１      台輪
２      基礎
３      換気孔
４      アンカーボルト用長孔（アンカー用長孔）
５      位置決めマーク
６      端部位置合わせマーク
９      建造物本体
１１      台輪本体
１１ａ，１１ｂ      台輪側面
１６      テーパ部
２１      天端面
２３      隅だしマーク（位置合わせマーク）
２５      アンカーボルト
９０      床部
【図１】
0003870019.tif 000002
【図２】
0003870019.tif 000003
【図３】
0003870019.tif 000004
【図４】
0003870019.tif 000005
【図５】
0003870019.tif 000006
【図６】
0003870019.tif 000007
【図７】
0003870019.tif 000008
【図８】
0003870019.tif 000009
【図９】
0003870019.tif 000010
【図１０】
0003870019.tif 000011
【図１１】
0003870019.tif 000012